(57)【要約】【課題】足裏の形状を整えて、歩行時の転倒予防、及び身体バランス機能の維持向上を図ることができ、苦痛を伴うことなく長時間の着用が可能で着脱容易なサポートソックスを提供する。【解決手段】指部１１、足部１２、及び口ゴム部１３を備えた５本指ソックスであって、足部１２の底面の外面もしくは内面に、三角柱状のパッド１４をその頂点１４ａを足の指先方向に向けて配置し、歩行時の自重踏圧により足裏の形状に３種類のアーチ形状が形成されるよう構成した。【選択図】  図１
0003208021.tif 000002
【実用新案登録請求の範囲】
【請求項１】
指部、足部、及び口ゴム部から構成された５本指ソックスであって、足部底面の外面もしくは内面に、三角柱状のパッド部材がその頂点を指先方向に向けて設けられたことを特徴とするサポートソックス。
【請求項２】
前記足部の底面に滑り止め部材が設けられたことを特徴とする請求項１に記載のサポートソックス。
【考案の詳細な説明】
【技術分野】
【０００１】
本考案は、ソックスを装着することにより、足裏の形状を正常な形状に整え、歩行時の転倒を予防するとともに、矯正にも有効なサポートソックスに関するものである。
【０００２】
近年、健康維持を目的とした歩行運動などにおいて、歩行時における足裏の形状が着目されている。歩行運動の効果を高めるためには、着地から蹴り出しまでの歩行バランスが重要で、とくに趾は、歩行バランスと蹴り出しに密接に関連しており、歩行運動は、足裏の形状に左右される。
【０００３】
正常な足裏の形状は、図４に示すように、足底に３種類のアーチが形成される。これら３種類のアーチは、踵９３１から母趾（親指）の付け根（第１中足骨９１１）の間に形成される内側アーチ９１と、踵９３１から小趾（小指）の付け根（第５中足骨９２１）の間に形成される外側アーチ９２と、母趾（親指）の付け根（第１中足骨９１１）と小趾（小指）の付け根（第５中足骨９２１）の間に形成される前側アーチ９３からなる。これらアーチの形状が崩れることで、正常な歩行が困難となる。
【０００４】
例えば、趾先で地面を蹴り出す力が弱いと、重心が踵寄りに移動し、 踵、及び足趾の付け根だけの２点が接地した歩行（摺り足歩行）となる。さらにこのような歩行を行うことで、いっそう足趾を使わない姿勢になるため筋力が衰え、足趾が浮いた状態、いわゆる浮趾という状態で歩行することになる。浮趾は、足趾の踏ん張りが弱く、不安定な歩行バランスになり、歩行時の転倒を招く。
【０００５】
また、図４に示す前側アーチ９３のアーチ形状が乱れた（低下した）場合は、各指の中足骨が扇状に開くことからいわゆる開張足となり、外反母趾や内反小趾の原因となる。また、縦アーチが低下した場合には偏平足となる。足の筋肉は、体重という負荷をかけて伸縮させることで強化されるが、足の蹴り出しが弱くなると、足裏・下肢の筋肉が活発に伸縮できなくなって退化し、前述した各アーチ形状がより一層乱れて開張足や偏平足を招く。
【０００６】
そこで、特許文献１や特許文献２に示すように、足裏部から両側を通って足表部にかけて伸縮性素材で構成し、当該部分が収縮する力により強制的にアーチ形状を形成するソックスが先に提案されている。
【先行技術文献】
【特許文献】
【０００７】
【特許文献１】特開２００２−６９７０１号公報
【特許文献２】特開２００５−４２２１３号公報
【考案の概要】
【考案が解決しようとする課題】
【０００８】
しかしながら、特許文献１や特許文献２に示すソックスは、足裏にアーチ形状を形成するほどの収縮力を備えた伸縮性素材を用いるため、着用時に肌表面の毛細血管を押圧して血行不良を招き、長時間着用するには適していないという問題があった。また、着用時には収縮した伸縮性素材を広げる必要があるが、収縮力の強さから、力の弱い高齢者や幼児は着用しづらかった。
【０００９】
本考案は、上記の問題点に鑑みなされたもので、足裏の形状を整えて、歩行時の転倒予防、及び身体バランス機能の維持向上を図ることができ、苦痛を伴うことなく長時間の着用が可能で着脱容易なサポートソックスを提供することを目的とする。
【課題を解決するための手段】
【００１０】
このため本考案のサポートソックスは、指部、足部、及び口ゴム部から構成された５本指ソックスであって、足部底面の外面もしくは内面に、三角柱状のパッド部材がその頂点を指先方向に向けて設けられたことを第１の特徴とする。
【００１１】
また、前記足部の底面に滑り止め部材が設けられたことを第２の特徴とする。
【考案の効果】
【００１２】
本考案のサポートソックスは、以下の優れた効果を有する。
（１）５本指ソックス形状を採用したことで、着用時に足指を夫々自在に動かすことが可能となり、足指夫々に力量がバランスよく分けられるため、ふんばりがきき、より一層安定した歩行を行うことができる。
（２）足部底面の外面もしくは内面に、三角柱状のパッド部材がその頂点を指先方向に向けて設けたことで、歩行時の自重踏圧により足裏の形状に３種類のアーチ形状が自ずと形成される。すなわち、正常な足裏の形状を形成することができ、転倒予防、及び身体バランス機能の維持向上を図ることができる。
【図面の簡単な説明】
【００１３】
【図１】本考案に係るサポートソックスの一実施例を示す底面図である。
【図２】本考案に係るサポートソックスの着用状態を説明する縦断面図である。
【図３】本考案に係るサポートソックスの着用状態を説明する斜視図である。
【図４】足底に形成される縦横のアーチを説明する斜視図である。
【考案を実施するための形態】
【００１４】
本考案に係るサポートソックス１は、図１〜図３に示すように、足指の一部、甲部、及び足裏を覆うための伸縮性生地を縫製加工されたソックス形状で、ストッキングやパンティストッキング等と同様の極めて薄くて伸縮性の大きい生地で編成されている。サポートソックス１は、指部１１、足部１２、及び口ゴム部１３の三部に大別されている。尚、図１に示したサポートソックス１は、右足に着用するものである。
【００１５】
本考案に係るサポートソックス１に使用される伸縮性生地は、編物、織物、不織布等の布により形成されており、ナイロン糸、ポリエステル糸、綿糸、アクリル糸、ポリウレタン糸、ゴム糸などの繊維を縫製加工することが好ましいがとくに限定するものではなく、ナイロン糸、ポリエステル糸、綿糸、綿とポリエステル繊維やアクリル繊維との混紡糸である表糸と、添え糸としてポリウレタン糸やゴム糸の周囲をポリエステル糸で覆ったカバリングヤーンである裏糸とで編成しても良い。
【００１６】
また、伸縮性生地に防臭、消臭機能を備えさせることがさらに好ましい。抗菌、消臭機能を付与する方法としては、伸縮性生地の肌触り、設定した圧迫圧が損なわれないものであれば、いずれの方法でも良く、例えば、水に、銀やセラミックス等の無機物溶質を分散させて、溶液を作成し、この溶液中にサポートソックス１を浸して繊維に溶質（銀やセラミックスの極超微粒子）を滲みこませた後、ローラに通して絞り、銀、セラミックスの極超微粒子を繊維に強力に付着させ、余分な溶液を絞り落とした後、乾燥機にかけて乾燥させ、サポートソックス１の繊維中に、銀配合セラミックスを浸透させる方法を採用しても良い。さらに、皮膚の保湿、老化防止、美白等を目的として、皮膚の生理機能を調整する物質や、香料などの物質を、繊維に塗布又は含浸することもできる。
【００１７】
指部１１は、５本の足指を夫々通すいわゆる５本指ソックス形状に形成され、着用時に足指夫々を自在に動かすことが可能となる。本実施の形態においては、裸足に近い形で着用し、快適性を高める目的から指先を覆わずに開放させているが、とくに限定されるものではなく、足指を全て覆っても良い。５本指ソックス形状は、足指夫々に力量がバランスよく分けられるため、ふんばりがきき、より一層安定した歩行を行うことができる。
【００１８】
口ゴム部１３は、上述した生地に収縮性ゴム糸を周方向に編み込み、周方向への収縮力を有するよう構成されている。通常、ソックスに用いられる口ゴムと同じ構造が用いられるが、本考案のサポートソックス１において口ゴム部１３は、着用時の容易性、及び肌表面の毛細血管を押圧して血行不良を防止する観点から、収縮力が比較的弱いものを使用することが好ましい。本実施の形態においては、口ゴム部１３が、足の甲部を収縮する位置となるようされているが、これに限定されるものではなく、例えば足部１２が踵を覆う長さであって、口ゴム部１３が足首を収縮する位置に設けられても良い。
【００１９】
図１に示すように、サポートソックス１は、足部１２の底面にシリコン製のパッド１４を備えている。パッド１４は、図２に示すように、サポートソックス１の底面内部に圧着シート１５で着設されている。パッド１４は、図３に示すように、シリコンを５ｍｍ程度厚の三角柱状に形成したもので、その頂点１４ａを足先へ向け、足部１２の略中央に配置されている。したがって、着用時に踏圧することで、各頂点が直上に腱や筋肉を拳上し、内側アーチ９１、外側アーチ９２、及び前側アーチ９３が自ずと形成され、正常な足裏の形状を形成させることができる。パッド１４が円柱形状、四角柱形状に形成された場合は、パッド１４の位置がずれて、内側アーチ９１、外側アーチ９２、及び前側アーチ９３を結ぶトライアングルが綺麗に形成されず、本考案と同一の効果を得ることは困難となる。
【００２０】
図４を用いて説明したように、足裏は、踵９３１から第１中足骨９１１にかけて形成される内側アーチ９１と、踵９３１から第５中足骨９２１にかけて形成される外側アーチ９２と、第１中足骨９１１から第５中足骨９２１にかけて形成される前側アーチ９３が形成されているが、ハイヒールを履くことなどにより負荷が加わると、前側アーチ９３が下がって水平に近くなり、足底のアーチによる衝撃吸収が正常に行われず、転倒を招きやすくなる、もしくは足底腱膜が炎症を起こすため、前側アーチ９３の形状を正常に保つことは重要である。そこで、本考案のサポートソックス１では、三角柱形状のパッド１４を踏圧することで、３種類のアーチ形状がサポートされる。この点こそ、本考案の要旨であり、例えば、底面にゴム材等からなる滑止部材を貼着し、滑り止め加工を施す、また例えば、足部１２の底面内部に設けられたパッド１４を底面外部に設けるなど、本考案の要旨を逸脱しない範囲内において種々変更を加え得ることは言うまでもない。
【符号の説明】
【００２１】
１      サポートソックス
１１    指部
１２    足部
１３    口ゴム部
１４    パッド
１４ａ  頂点
１５    圧着シート
９１    内側アーチ
９１１  第１中足骨
９２    外側アーチ
９２１  第５中足骨
９３    前側アーチ
９３１  踵
【図１】
0003208021.tif 000003
【図２】
0003208021.tif 000004
【図３】
0003208021.tif 000005
【図４】
0003208021.tif 000006